(57)【要約】      （修正有）【課題】１つのカップホルダーに、例えば、ビール等の飲み物が入ったコップと食べ物が入った容器や包み等の２つのものを保持させ得るホルダーを提供する。【解決手段】カップホルダー１１に挿入されて保持されるとともに、カップホルダーから取り出せ、飲み物や食べ物が入った容器や袋等の物を保持し得る第１保持部２と、第１保持部２に取り付けられ、第１保持部に保持されたものとは別の飲み物や食べ物が入った容器や袋等の物を保持し得る第２保持部３とを備える。例えば、ビール等の飲み物が入ったコップなどの容器を第１保持部２に保持させるとともに、食べ物が入った容器や包みを第２保持部３に保持させられる。【選択図】図１
0003178113.tif 000002
【実用新案登録請求の範囲】
【請求項１】
カップホルダーに挿入されて保持されるとともに、飲食物が入った容器や袋等の物を保持し得る第１保持部と、
前記第１保持部に取り付けられ、前記第１保持部に保持されたものとは別の容器や袋等の物を保持し得る少なくとも１つの第２保持部とを備えたことを特徴とするホルダー。
【請求項２】
前記第２保持部は、前記カップホルダーに挿入されて保持される装着機能を有している請求項１に記載のホルダー。
【請求項３】
前記第１保持部と前記第２保持部は、同一形状又は別の形状で形成されている請求項１又は２に記載のホルダー。
【請求項４】
前記第１保持部と前記第２保持部は、カップ状にそれぞれ形成され、これら２つの保持部の開口端近傍の周面が互いに接触した状態で連結されている請求項１〜３のいずれか１項に記載のホルダー。
【請求項５】
前記第１保持部と前記第２保持部は、深さ方向に伸縮可能なカップ状にそれぞれ形成されている請求項１〜４のいずれか１項に記載のホルダー。
【請求項６】
前記第１保持部と前記第２保持部は、カップ状にそれぞれ形成され、これら２つの保持部の開口端縁部が互いに回動可能に取り付けられ、前記２つの保持部は、２つの開口が同じ方向に向いた開状態と、２つの開口が互いに向き合った閉状態とにそれぞれ位置決めされるようになっている請求項１〜５のいずれか１項に記載のホルダー。
【考案の詳細な説明】
【技術分野】
【０００１】
本考案は、野球場やサッカー場などの競技場等の観覧席に設置されている１つのカップホルダーに、例えばビール等の飲み物が入ったコップと食べ物が入った容器や包み等の２つの物を保持させられるホルダーに関するものである。
【背景技術】
【０００２】
野球場やサッカー場などの競技場等の観覧席には、カップホルダーが設置されていることがある。カップホルダーは、主としてビールやジュース等の飲み物が入ったコップを置いた状態で保持させるものである。例えば、カップホルダーは、上方が開放された有底円筒体状に形成されていたり、リング体とベース体を有したりするもの等が知られている。カップホルダーにコップを挿入して、このコップをカップホルダーの底部上に載置することで、飲み物が入ったコップをカップホルダーに保持させることができる。また、そのコップを持ち上げるだけでカップホルダーから簡単に取り出すことができるようになっている。
【考案の概要】
【考案が解決しようとする課題】
【０００３】
しかし、カップホルダーは、１つの観覧席に対して１つしか設置されていないのが通常で、例えば、ビールが入ったコップを挿入保持させると、焼き鳥などのビールのつまみをそのカップホルダーに保持させることができず、そのつまみを片手で持たなければならないので片手が塞がれてしまう。また、カップホルダーにつまみを保持させると、ビールが入ったコップを片手で持たなければならず、この場合も片手が塞がれてしまう。このように片手がつまみやコップで塞がれてしまうと、両手で応援をできなかった。特に、近年、野球等の応援は、両手で行うことが多く、贔屓のチームがチャンスのときに十分な応援ができず楽しめなかった。
本考案が解決しようとする課題は、１つのカップホルダーに、例えば、ビール等の飲み物が入ったコップと食べ物が入った容器や包み等の２つの物を保持させ得るようにすることにある。
【課題を解決するための手段】
【０００４】
前記課題を解決するため、本考案に係るホルダーは、カップホルダーに挿入されて保持されるとともに、飲食物が入った容器や袋等の物を保持し得る第１保持部と、前記第１保持部に取り付けられ、前記第１保持部に保持されたものとは別の容器や袋等の物を保持し得る少なくとも１つの第２保持部とを備えたことを特徴とする。
【０００５】
このように構成することで、第１保持部をカップホルダーに挿入して保持させると、このカップホルダーに保持させた第１保持部に例えば第２保持部が１つ取り付けられているので、例えば、ビール等の飲み物が入ったコップを第１保持部に保持させるとともに、食べ物が入った容器や包みを第２保持部に保持させることが可能となる。従って、１つのカップホルダーに、例えば、ビール等の飲み物が入ったコップと食べ物が入った容器や包み等の２つの物を保持させることができる。
【０００６】
この場合において、第２保持部は、カップホルダーに挿入されて保持される装着機能を有することができる。また、第１保持部と第２保持部を、同一形状又は別の形状で形成することができる。さらに、第１保持部と第２保持部を、カップ状にそれぞれ形成し、これら２つの保持部の開口端近傍の周面が互いに接触した状態で連結することができる。また、第１保持部と第２保持部を、深さ方向に伸縮可能なカップ状にそれぞれ形成することができる。さらに、第１保持部と第２保持部を、カップ状にそれぞれ形成し、これら２つの保持部の開口端縁部が互いに回動可能に取り付け、２つの保持部を、２つの開口が同じ方向に向いた開状態と、２つの開口が互いに向き合った閉状態とにそれぞれ位置決めされるようにすることができる。
【考案の効果】
【０００７】
本考案によれば、１つのカップホルダーに、例えば、ビール等の飲み物が入ったコップと食べ物が入った容器や包み等の２つの物を保持させることができる。
【図面の簡単な説明】
【０００８】
【図１】本考案に係る一例の実施形態のホルダーをカップホルダーに保持させた状態を示す斜視図である。
【図２】本実施形態のホルダーの一例を示す正面図である。
【図３】本実施形態のホルダーの他の例を示す斜視図である。
【図４】本実施形態のホルダーの他の例に設けられている取付部材の一例を示す正面図で、（ａ）は開状態を示す図、（ｂ）は閉状態を示す図である。
【考案を実施するための形態】
【０００９】
以下、本考案に係るホルダーの一実施形態を添付図面に基づいて説明する。図１及び図２に示すように、本実施形態の一例のホルダー１は、１つのカップホルダー１１に飲食物が入った容器や袋等の物を２つ以上保持させるものである。カップホルダー１１は、例えば、野球場やサッカー場などの競技場等の観覧席に設置されているもので、ビール等の飲み物が入ったコップが挿入保持されるものであれば特に限定されない。カップホルダー１１としては、例えば、有底円筒体状に形成されたものや円形の穴が形成されてなるもの等でもよいし、図１に示すように、ホルダー本体１１ａに回動可能に支持され略矩形状のリング体１１ｂと、ホルダー本体１１ａに回動可能に支持され棒状部材により折り曲げられて形成されたような略矩形状のベース体１１ｃとを有するものでもよい。なお、本実施形態ではカップホルダー１１として、リング体１１ｂとベース体１１ｃとを有するものについて説明するが、これに限定されるものではない。また、リング体１１ｂ及びベース体１１ｃの形状は略矩形状に限定されずと他の形状例えば略円形状、略楕円形状等で形成するようにしてもよい。
【００１０】
本実施形態のホルダー１は、カップホルダー１１に挿入されて保持されるとともに、カップホルダー１１から取り出せ、飲食物が入った容器や袋等の物を保持し得る第１保持部２と、第１保持部２に取り付けられ、第１保持部２に保持されたものとは別の容器や袋等の物を保持し得る少なくとも１つすなわち１つ又は２つ以上の第２保持部３とを備えている。
【００１１】
第１保持部２は、カップホルダー１１に挿入されて保持されるとともに、カップホルダー１１から取り出せ、飲食物が入った容器や袋等の物を保持し得るものであり、その形状は特に限定されず、一例として断面円形のカップ状に形成されている。第１保持部２は、カップホルダー１１に挿入保持させた状態で、第１保持部２に飲食物が入った容器や袋等の物が保持されているか否かに関係なく、第２保持部３に飲食物が入った容器や袋等の物を保持させたとき、第１保持部２のカップホルダー１１への保持状態が確実に維持されるようなカップ状に形成されていることが好ましい。例えば、第１保持部２は、カップホルダー１１に挿入保持させたとき、底部がカップホルダー１１のベース体１１ｃに接触し、かつ、リング体１１ｂに最も近い箇所の外径がリング体１１ｂの幅方向の内側間の寸法と略同じか若干短い寸法で形成されていることが好ましい。また、第１保持部２の軸方向（深さ方向）の長さは、第１保持部２のカップホルダー１１への保持状態が確実に維持される範囲から任意に設定される。第１保持部２の材質は、特に限定されず、例えば、合成樹脂等が好ましく、合成樹脂としては、例えば、ポリスチレン（ＰＳ）、ポリプロピレン（ＰＰ）、ポリエチレンテレフタレート（ＰＥＴ）等が用いられる。
【００１２】
第２保持部３は、第１保持部２に保持されたものとは別の容器や袋等の物を保持し得るものであり、第１保持部２に１つ又は２つ以上、本実施形態では１つ取り付けられている。第２保持部３の形状は、特に限定されず、第１保持部２と同一形状で形成してもよいし別の形状で形成してもよく、一例として第１保持部２と同じ形状の断面円形のカップ状に形成されている。なお、第１保持部２と第２保持部３を別の形状に形成する場合、一方を例えば断面円形のカップ状に形成したとき、他方を断面円形以外の例えば断面矩形やその他の形のカップ状に形成したり、挟持力により飲食物が入った容器や袋を保持する挟持具や挟持する以外の係合により飲食物が入った容器や袋等の物を保持するフック等の係合具で構成したりしてもよい。第２保持部３の材質は、特に限定されないが、例えば、合成樹脂等が好ましく、第１保持部２と異なるものでもよいが、例えば、同じものが用いられる。すなわち、第２保持部３は、例えば、第１保持部２と同じカップ状のものが用いられ、飲食物が入った容器や袋等の物を保持し得るとともに、カップホルダー１１に挿入されて保持される取り外し可能な装着機能を有している。
【００１３】
第１保持部２と第２保持部３とを取り付ける取付手段４としては、特に限定されず、クリップ等の挟持力を利用する挟持具を用いて行うようにしてもよいし、図１及び図２に示すように、ハトメやリベット、ビス等のその他の手段で行うようにしてもよい。取付箇所は、特に限定されないが、例えば、開口側端縁部同士を互いに接触又は近接させるとともに、底部側端縁部同士を互いに接触又は近接させるように２つの保持部の互いの周面を軸方向に沿って接触させた状態で、開口の近傍の接触箇所及びその近傍であることが好ましい。このように、第１保持部２と第２保持部３とを互いの周面を接触させた状態で例えばハトメを用いて取り付け、第１保持部２と第２保持部３との間で挟持力が作用して、第１保持部２又は第２保持部３をカップホルダー１１に挿入保持させたときに、第１保持部２又は第２保持部３がカップホルダー１１から抜け難くなるような付勢力が作用する、すなわち、第１保持部２と第２保持部３とを互いの周面が接触した状態を保持する付勢力が作用するような材質及び厚さで第１保持部２と第２保持部３が形成されていることが好ましい。
【００１４】
さて、このホルダー１を用いて１つのカップホルダー１１に飲食物が入った容器や袋等の物を例えば２つ保持させるには、第１保持部２と第２保持部３とを互いの周面が接触した状態から底部側を互いに離間する方向に付勢力に抗して移動させる。すなわち、第１保持部２と第２保持部３とを開く。この状態のまま、第１保持部２か第２保持部３のどちらか一方、例えば、第１保持部２をカップホルダー１１に挿入して保持させ、保持後、第１保持部２と第２保持部３とへの力を解除する。これにより、第１保持部２がカップホルダー１１に保持されるとともに、第１保持部２と第２保持部３とは付勢力により互いに周面が接触するように動き、第１保持部２と第２保持部３とでカップホルダー１１のリング体１１ｂが挟持される。
【００１５】
そして、例えば、ビールが入ったコップを第１保持部２に挿入して保持させるとともに、焼き鳥等が入った容器や包みを第２保持部３に保持させることができる。これにより、１つのカップホルダー１１に、例えば、ビールが入ったコップと食べ物が入った容器や包み等の２つの物を保持させることができる。
【００１６】
したがって、本実施形態のホルダー１は、カップホルダー１１に保持させた第１保持部２に第２保持部３が例えば１つ取り付けられているので、１つのカップホルダー１１に飲食物が入った容器や袋等の物を２つ保持させることができる。その結果、例えば、ビールが入ったコップと焼き鳥等が入った容器や袋のどちらか一方を片手で持たなくてもよいので、贔屓のチームがチャンスのとき等に両手で応援をすることができ十分に楽しめることができる。また、第１保持部２や第２保持部３に、コップや食べ物が入った容器や包み以外の物、例えば、携帯電話機等の携帯電子機器や競技場等で販売されている商品やそれ以外の物を保持させることができ、特に第１保持部２や第２保持部３がカップ状に形成されていることで携帯電子機器等を落ちる心配なく保持することができ、便利である。この場合、カップホルダー１１が観覧席より前方（例えば前の観覧席の後部）に設置されていることで、このカップホルダー１１に保持させたホルダー１の第１保持部２や第２保持部３に携帯電話機能を有する携帯電子機器を保持させると、この携帯電子機器が視野に入る。このため、携帯電子機器をマナーモードにしたり着信時に音が出なく着信時に発光や光の点滅を行うようにしたりすることで、着信時に音を発生させることなく着信が分かるので、音の発生による他人へ迷惑をかけることがない。
【００１７】
第１保持部２と第２保持部３の両保持部が、カップホルダー１１に挿入されて保持される装着機能を有していることで、第１保持部２と第２保持部３のどちらでもカップホルダー１１に挿入保持させることができるので、カップホルダー１１への保持を容易に行える。また、第１保持部２と第２保持部３がカップ状例えば同じ形状のカップ状にそれぞれ形成されていることで、容易にカップホルダー１１に挿入保持することができるとともに、第１保持部２や第２保持部３を持ち上げるだけでカップホルダーから容易に取り出すことができ、本実施形態のホルダー１は、カップホルダー１１への脱着を容易に行える。第１保持部２と第２保持部３とが互いの周面が接触した状態を保持する付勢力が作用するように形成されていることで、例えば、第１保持部２をカップホルダー１１に挿入保持させたとき、第１保持部２と第２保持部３とでカップホルダー１１のリング体１１ｂを挟持するから、第１保持部２がカップホルダー１１から抜け難くなる、すなわち、本実施形態のホルダー１は、カップホルダー１１から抜け難くなるので、飲食物が入った容器や袋等の物を確実に保持することができる。
【００１８】
図３は、本実施形態のホルダーの他の例を示す図である。図３に示すように、このホルダー２０は、前記のホルダー１と異なるところは、第１保持部２１と第２保持部２２の一方又は両方、例えば、両方が深さ方向に折り畳み可能（伸縮可能）なカップ状に形成されている点である。第１保持部２１及び第２保持部２２の伸縮構造は、第１保持部２１及び第２保持部２２が折り畳み可能（伸縮可能）であればその構造は蛇腹状等特に限定されない。これら折り畳み可能な第１保持部２１及び第２保持部２２は、延びた状態と縮んだ状態の２つの状態でそれぞれロックされるロック機能が設けられていることが好ましい。なお、図３において、第１保持部２１は延びた状態で、第２保持部２２は縮んだ状態である。このように構成すると、未使用時、すなわち、カップホルダー１１に挿入保持させないとき、コンパクト化を図れ、持ち運びが容易で携帯性に優れたものとなる。
【００１９】
また、取付手段４として、例えば、図４に示すように、このホルダー２０の第１保持部２１と第２保持部２２とを取り付けるときに、２つの保持部の開口端縁部を互いに回動可能に取り付けるヒンジ等の取付部材４１を用いるようにしてもよい。このとき、取付部材４１は、第１保持部２１と第２保持部２２の２つの開口が同じ方向に向いた開状態（図４（ａ）参照。）と、２つの開口が互いに向き合った閉状態（図４（ｂ）参照。）とにそれぞれ位置決めされるようにすることが好ましく、さらに開状態と閉状態でそれぞれロックされるようにすることが好ましい。このようにすれば、未使用時、すなわち、カップホルダー１１に挿入保持させないとき、一層コンパクト化を図れ、持ち運びが容易で携帯性に優れたものとなる。なお、図４中、符号４１ａは開状態をがたつかない維持するための突起を示すが、この突起４１ａは無くてもよいし、他の手段を用いて開状態の維持を行うようにしてもよい。
【符号の説明】
【００２０】
１  ホルダー
２  第１保持部
３  第２保持部
４  取付手段
１１  カップホルダー
２０  ホルダー
２１  第１保持部
２２  第２保持部
４１  取付部材
【図１】
0003178113.tif 000003
【図２】
0003178113.tif 000004
【図３】
0003178113.tif 000005
【図４】
0003178113.tif 000006